(57)【要約】【課題】操作棹を前後に分割可能にした刈払機が、電圧を変えた複数種の電源と、複数種の電源の電圧に適合した定格電圧を有した複数種の電動モータとを用いた複数の機種が存在するときに、バッテリパックの電圧が電動モータの定格電圧より高い組み合わせで前側棹と後側棹とが連結されないようにする。【解決手段】刈払機１０は、電源４２の電圧が電動モータ３２の定格電圧に適合した組み合わせでは、操作棹１１は電気コネクタ２０のプラグ２１とプラグ受け２３とが電気的に接続される位置にて後側棹１３に前側棹１２が嵌挿されて連結され、電源４２の電圧が電動モータ３２の定格電圧より高い組み合わせでは、操作棹１１は電気コネクタ２０のプラグ２１とプラグ受け２３とが電気的に接続される位置にて後側棹１３に前側棹１２が嵌挿されるのを阻止する阻止手段を備えた。【選択図】図５
2014168393.tif 000002
【特許請求の範囲】
【請求項１】
前側棹と後側棹とを有し、前記前側棹の後端部と前記後側棹の前端部の一方を他方に嵌挿することで着脱可能に連結した操作棹と、
前記前側棹の前端部に固定した前端ハウジング内に収容した電動モータと、
前記電動モータの作動により回転する回転軸に固定した回転刃と、
前記後側棹の後端部に固定した後端ハウジングに取り付けられ、前記電動モータに給電する電源と、
前記前側棹の後端部と前記後側棹の前端部の一方に設けたプラグと他方に設けたプラグ受けとからなり、前記電動モータと前記電源とを電気的に接続する電気コネクタとを備え、
電圧を変えた複数種の前記電源と、前記複数種の電源の電圧に適合した定格電圧を有した複数種の前記電動モータとを用いた複数の機種が存在する刈払機であって、
前記電源の電圧が前記電動モータの定格電圧に適合した組み合わせでは、前記電気コネクタのプラグとプラグ受けとが電気的に接続される位置にて、前記前側棹と前記後側棹の一方が他方に嵌挿されて連結され、
前記電源の電圧が前記電動モータの定格電圧より高い組み合わせでは、前記電気コネクタのプラグとプラグ受けとが電気的に接続される位置にて、前記前側棹と前記後側棹の一方が他方に嵌挿されるのを阻止する阻止手段を備えたことを特徴とする刈払機。
【請求項２】
請求項１に記載の刈払機において、
前記阻止手段として、前記前側棹と前記後側棹とが互いに連結された状態で、前記前側棹の後端部と前記後側棹の前端部の一方には他方に向けて突出する突部と、他方には前記突部に摺動自在に係合して前記操作棹の長手方向に延びる凹溝を設け、
前記突部の高さまたは幅と、前記突部に係合する前記凹溝の高さまたは幅を前記刈払機の機種毎に異なるようにして、
前記電源の電圧が前記電動モータの定格電圧より高い組み合わせでは、前記突部の高さまたは幅を前記凹溝の高さまたは幅より長くして、前記前側棹と前記後側棹の一方が他方に嵌挿されるのを阻止したことを特徴とする刈払機。
【請求項３】
請求項１に記載の刈払機において、
前記阻止手段として、前記前側棹と前記後側棹とが互いに連結された状態で、前記前側棹の後端部と前記後側棹の前端部の一方には他方に向けて突出する突部と、他方には前記突部に摺動自在に係合して前記操作棹の長手方向に延びる凹溝を設け、
前記突部の前記操作棹の長手方向の位置と、前記突部に係合する前記凹溝の長手方向の長さを前記刈払機の機種毎に異なるようにして、
前記電源の電圧が前記電動モータの定格電圧より高い組み合わせでは、前記電気コネクタのプラグとプラグ受けとが電気的に接続される位置となる前に、前記突部が前記凹溝の長手方向の奥部に係止するようにして、前記前側棹と前記後側棹の一方が他方に嵌挿されるのを阻止したことを特徴とする刈払機。
【請求項４】
請求項１に記載の刈払機において、
前記阻止手段として、前記前側棹と前記後側棹とが互いに連結された状態で、前記前側棹の後端部と前記後側棹の前端部の一方には他方に向けて突出する突部と、他方には前記突部に摺動自在に係合して前記操作棹の長手方向に延びる凹溝を設け、
前記突部と前記凹溝の数を前記刈払機の機種毎に異なるようにして、
前記電源の電圧が前記電動モータの定格電圧より高い組み合わせであるときに、前記突部の数を前記凹溝の数より多くして、前記前側棹と前記後側棹の一方が他方に嵌挿されるのを阻止したことを特徴とする刈払機。
【請求項５】
請求項１に記載の刈払機において、
前記阻止手段は前記プラグと前記プラグ受けとを用いたものであり、
前記プラグの複数のピンの数または形状と、前記プラグの複数のピンが挿入される前記プラグ受けの複数のピン挿入孔の数または形状を前記刈払機の機種毎に異なるようにして、
前記電源の電圧が前記電動モータの定格電圧より高い組み合わせであるときに、前記プラグの複数のピンが前記プラグ受けの複数のピン挿入孔に挿入できない数または形状にしたことを特徴とする刈払機。
【請求項６】
請求項１に記載の刈払機において、
前記阻止手段は前記前側棹の後端部と前記後側棹の前端部を用いたものであり、
前記前側棹の後端部と前記後側棹の前端部の径または形状を前記刈払機の機種毎に異なるようにして、
前記電源の電圧が前記電動モータの定格電圧より高い組み合わせであるときに、前記前側棹の後端部と前記後側棹の前端部の一方が他方に嵌挿できない径または形状としたことを特徴とする刈払機。
【発明の詳細な説明】
【技術分野】
【０００１】
本発明は、草、芝等を刈払う刈払機に関する。
【背景技術】
【０００２】
特許文献１には、操作棹と、操作棹の前端部に固定した前端ハウジング内に収容した電動モータと、電動モータの作動により回転する回転軸に固定した回転刃と、操作棹の後端部に固定した後端ハウジングに取り付けられ、電動モータに給電するバッテリパックとを備えた刈払機が開示されている。この刈払機の操作棹は、前側棹と後側棹とに分割可能であり、操作棹を前後に分割することで運搬を容易としている。また、このような刈払機は、電圧を変えた複数種のバッテリパックと、複数種のバッテリパックの電圧に適合した定格電圧を有した複数種の電動モータとを用いることで回転刃の回転数が異なる複数の機種が存在するものがある。
【先行技術文献】
【特許文献】
【０００３】
【特許文献１】米国特許第５８０９６５３号公報
【発明の概要】
【発明が解決しようとする課題】
【０００４】
上記の刈払機においては、ユーザは回転刃の回転数が異なる複数の機種の刈払機を同時に所有する場合がある。複数の機種が存在する刈払機においては、バッテリパックの電圧が電動モータの定格電圧より高い組み合わせで、互いに異なる機種の前側棹と後側棹とが連結されるおそれがあった。このようなときには、電動モータが定格電圧より高い電圧のバッテリパックにより過回転となり、電動モータが故障するおそれがあった。本発明は、操作棹を前後に分割可能にした刈払機が、電圧を変えた複数種の電源と、複数種の電源の電圧に適合した定格電圧を有した複数種の電動モータとを用いた複数の機種が存在するときに、電源の電圧が電動モータの定格電圧より高い組み合わせで前側棹と後側棹とが連結されないようにすることを目的とする。
【課題を解決するための手段】
【０００５】
上記課題を解決するために、本発明は、前側棹と後側棹とを有し、前側棹の後端部と後側棹の前端部の一方を他方に嵌挿することで着脱可能に連結した操作棹と、前側棹の前端部に固定した前端ハウジング内に収容した電動モータと、電動モータの作動により回転する回転軸に固定した回転刃と、後側棹の後端部に固定した後端ハウジングに取り付けられ、電動モータに給電する電源と、前側棹の後端部と後側棹の前端部の一方に設けたプラグと他方に設けたプラグ受けとからなり、電動モータと電源とを電気的に接続する電気コネクタとを備え、電圧を変えた複数種の電源と、複数種の電源の電圧に適合した定格電圧を有した複数種の電動モータとを用いた複数の機種が存在する刈払機であって、電源の電圧が電動モータの定格電圧に適合した組み合わせでは、電気コネクタのプラグとプラグ受けとが電気的に接続される位置にて、前側棹と後側棹の一方が他方に嵌挿されて連結され、電源の電圧が電動モータの定格電圧より高い組み合わせでは、電気コネクタのプラグとプラグ受けとが電気的に接続される位置にて、前側棹と後側棹の一方が他方に嵌挿されるのを阻止する阻止手段を備えたことを特徴とする刈払機を提供するものである。
【０００６】
上記のように構成した刈払機においては、電源の電圧が電動モータの定格電圧に適合した組み合わせでは、操作棹は電気コネクタのプラグとプラグ受けとが電気的に接続される位置にて、前側棹と後側棹の一方が他方に嵌挿されて連結され、電源の電圧が電動モータの定格電圧より高い組み合わせでは、操作棹は電気コネクタのプラグとプラグ受けとが電気的に接続される位置にて、前側棹と後側棹の一方が他方に嵌挿されるのを阻止する阻止手段を備えたことで、電源の電圧が電動モータの定格電圧より高い組み合わせで、互いに異なる機種の前側棹と後側棹とが連結されるのを防ぐことができ、定格電圧より高い電源から給電されることに起因した電動モータの故障を防ぐことができる。
【０００７】
上記のように構成した刈払機の一実施形態においては、阻止手段として、前側棹と後側棹とが互いに連結された状態で、前側棹の後端部と後側棹の前端部の一方には他方に向けて突出する突部と、他方には突部に摺動自在に係合して操作棹の長手方向に延びる凹溝を設け、突部の高さまたは幅と、突部に係合する凹溝の高さまたは幅を刈払機の機種毎に異なるようにして、電源の電圧が電動モータの定格電圧より高い組み合わせでは、突部の高さまたは幅を凹溝の高さまたは幅より長くして、前側棹と後側棹の一方が他方に嵌挿されるのを阻止してもよい。
【０００８】
上記のように構成した刈払機の一実施形態においては、阻止手段として、前側棹と後側棹とが互いに連結された状態で、前側棹の後端部と後側棹の前端部の一方には他方に向けて突出する突部と、他方には突部に摺動自在に係合して操作棹の長手方向に延びる凹溝を設け、突部の操作棹の長手方向の位置と、突部に係合する凹溝の長手方向の長さを刈払機の機種毎に異なるようにして、電源の電圧が電動モータの定格電圧より高い組み合わせでは、電気コネクタのプラグとプラグ受けとが電気的に接続される位置となる前に、突部が凹溝の長手方向の奥部に係止するようにして、前側棹と後側棹の一方が他方に嵌挿されるのを阻止してもよい。
【０００９】
上記のように構成した刈払機の一実施形態においては、阻止手段として、前側棹と後側棹とが互いに連結された状態で、前側棹の後端部と後側棹の前端部の一方には他方に向けて突出する突部と、他方には突部に摺動自在に係合して操作棹の長手方向に延びる凹溝を設け、突部と凹溝の数を刈払機の機種毎に異なるようにして、電源の電圧が電動モータの定格電圧より高い組み合わせでは、突部の数を凹溝の数より多くして、前側棹と後側棹の一方が他方に嵌挿されるのを阻止してもよい。
【００１０】
上記のように構成した刈払機の一実施形態においては、阻止手段はプラグとプラグ受けとを用いたものであり、プラグの複数のピンの数または形状と、プラグの複数のピンが挿入されるプラグ受けの複数のピン挿入孔の数または形状を刈払機の機種毎に異なるようにして、電源の電圧が電動モータの定格電圧より高い組み合わせであるときに、プラグの複数のピンがプラグ受けの複数のピン挿入孔に挿入できない数または形状にしてもよい。
【００１１】
上記のように構成した刈払機の一実施形態においては、阻止手段は前側棹の後端部と後側棹の前端部を用いたものであり、前側棹の後端部と後側棹の前端部の径または形状を刈払機の機種毎に異なるようにして、電源の電圧が電動モータの定格電圧より高い組み合わせであるときに、前側棹の後端部と後側棹の前端部の一方が他方に嵌挿できない径または形状としてもよい。
【図面の簡単な説明】
【００１２】
【図１】本発明の刈払機の第１実施形態を示す斜視図である。
【図２】（ａ）は前側棹と後側棹とを連結した状態の斜視図であり、（ｂ）は後側棹と前側棹を分解した状態の斜視図である。
【図３】図２の長手方向に沿った断面図である。
【図４】図１の前端部の縦方向断面図である。
【図５】第１実施形態の各機種における連結部の断面図である。
【図６】（ａ）１８Ｖの機種での連結部の断面図であり、（ｂ）１８Ｖの機種の後側棹と１０．８Ｖの機種の前側棹とを組み合わせたときの断面図である。
【図７】第２実施形態の各機種における連結部の断面図である。
【図８】第２実施形態の（ａ）１０．８Ｖの機種での連結部の断面図であり、（ｂ）１８Ｖの機種の後側棹と１０．８Ｖの機種の前側棹とを組み合わせたときの断面図である。
【図９】第３実施形態の各機種における連結部の断面図である。
【図１０】第３実施形態の（ａ）１０．８Ｖの機種での連結部の断面図であり、（ｂ）１８Ｖの機種の後側棹と１０．８Ｖの機種の前側棹とを組み合わせたときの断面図である。
【図１１】第４実施形態の各機種における連結部の断面図である。
【図１２】第４実施形態の（ａ）１８Ｖの機種での連結部の断面図であり、（ｂ）１８Ｖの機種の後側棹と１０．８Ｖの機種の前側棹とを組み合わせたときの断面図である。
【図１３】第５実施形態の各機種における突部と凹溝の係合状態を示す概略図である。
【図１４】第６実施形態の各機種における突部と凹溝の係合状態を示す概略図である。
【図１５】第８実施形態の各機種における連結部の断面図である。
【図１６】第８実施形態の（ａ）１８Ｖの機種での連結部の断面図であり、（ｂ）１８Ｖの機種の後側棹と１０．８Ｖの機種の前側棹とを組み合わせたときの断面図である。
【発明を実施するための最良の形態】
【００１３】
以下、本発明の刈払機の各実施形態を図面を参照して説明する。
（第１実施形態）
図１に示したように、刈払機１０は、前後方向に延びる細長い円筒形をした操作棹１１と、操作棹１１の前端部にカッタユニット３０と、操作棹１１の後端部にコントローラユニット４０とを備えている。
【００１４】
図１及び図２に示したように、操作棹１１は前後に分割可能な前側棹１２と後側棹１３とを有し、後側棹１３の前端部の一部を構成する継手１４に前側棹１２の後端部を嵌挿させることで着脱可能に連結したものである。前側棹１２の前端部にはカッタユニット３０が固定されている。前側棹１２の後端部の下部には継手１４に向けて突出する突部１２ａが設けられており、突部１２ａは前側棹１２から半径方向外向きに突出した部分の形状が円柱形状をしている。前側棹１２の後端部の上部には円形の係止孔１２ｂが形成されている。後側棹１３の後端部にはコントローラユニット４０が固定されている。
【００１５】
図２及び図３に示したように、後側棹１３の前端部の一部を構成する継手１４は中空の円筒形部材よりなる。継手１４の後半部には後側棹１３の棹本体１３ａの前端部が嵌合されてねじにより一体的に固定されている。また、継手１４の前半部には前側棹１２の後端部が着脱可能に嵌合されて固定されている。継手１４の前半部の下部には操作棹１１の長手方向に延びる凹溝１４ａが形成されており、凹溝１４ａには前側棹１２の後端部に設けた突部１２ａが摺動自在に係合している。凹溝１４ａの長手方向と直交する方向の幅及び高さは突部１２ａの幅及び高さと実質的に同じ長さとなっている。凹溝１４ａに突部１２ａが係合することにより、前側棹１２が周方向に回転するのを防ぐ機能を有している。
【００１６】
継手１４には凹溝１４ａが形成された位置に長手方向に延びるスリット１４ｂが形成されている。継手１４の前部の下部にはスリット１４ｂの両側にボス部１４ｃ，１４ｃが一体的に形成されており、ボス部１４ｃ，１４ｃには継手１４を前側棹１２に固定するためのボルト１５が挿通されている。また、ボルト１５の先端部にはレバー１６により回動するナット１７が設けられている。レバー１６によりボルト１５にナット１７を締結すると、スリット１４ｂの幅が僅かに狭くなることで継手１４が縮径して、継手１４に前側棹１２が固定される。また、レバー１６によりボルト１５からナット１７を弛めると、スリット１４ｂの幅が僅かに広くなることで継手１４が拡径して、継手１４から前側棹１２が離脱可能となる。継手１４の前部には前端開口を開閉自在に塞ぐ蓋体１８が設けられている。
【００１７】
継手１４の前半部の上部には前側棹１２の係止孔１２ｂと対向する位置に係止突起１９が設けられており、係止突起１９はばね部材により前側棹１２の係止孔１２ｂ内に挿通されるように付勢されている。継手１４内に前側棹１２の後端部が嵌合された状態では、係止突起１９は前側棹１２の係止孔１２ｂに係止して、前側棹１２が継手１４から外れるのを防いでいる。また、係止突起１９をばね部材の付勢力に抗して係止孔１２ｂから抜き出すと、前側棹１２が継手１４から取り外し可能となる。
【００１８】
図３に示したように、前側棹１２と後側棹１３との連結部分には電気コネクタ２０が設けられており、電気コネクタ２０は電動モータ３２とバッテリパック（電源）４２とを電気的に接続するものである。前側棹１２内の後端部には電気コネクタ２０を構成する差込プラグ（プラグ）２１が設けられており、後側棹１３の前端部には電気コネクタ２０を構成するプラグ受け２３が設けられている。
【００１９】
差込プラグ２１は前側棹１２内の後端部に嵌合固定された円柱形をした取付部２１ａを備えている。取付部２１ａには複数のピン２１ｂが貫通して取り付けられており、複数のピン２１ｂには電動モータ３２に接続された電気配線２２が接続されている。
【００２０】
プラグ受け２３は後側棹１３の前端部となる継手１４内に嵌合固定された円柱形をした取付部２３ａを備えており、取付部２３ａの前部は前側棹１２の後端部に着脱可能に挿通されている。取付部２３ａには差込プラグ２１のピン２１ｂが挿通される複数のピン挿入孔２３ｂが形成されており、ピン挿入孔２３ｂにはバッテリパック４２に電気配線２４により接続された接触片２３ｃが設けられている。
【００２１】
図３（ａ）に示したように、前側棹１２の後端部が継手１４の前半部に嵌挿されて前側棹１２と後側棹１３が連結された状態では、プラグ受け２３の前部が前側棹１２の後端部に挿通され、このとき差込プラグ２１のピン２１ｂがプラグ受け２３のピン挿入孔２３ｂに挿入されて接触片２３ｃに接触し、電動モータ３２がバッテリパック４２に電気的に接続される。これに対し、図３（ｂ）に示したように、前側棹１２を継手１４から引き抜いて前側棹１２と後側棹１３とを分解した状態では、プラグ受け２３の前部が前側棹１２の後端部から離脱し、差込プラグ２１のピン２１ｂがプラグ受け２３のピン挿入孔２３ｂから引き抜かれ、電動モータ３２がバッテリパック４２に電気的に接続されない。
【００２２】
図４に示したように、カッタユニット３０は前側棹１２の前端部に固定された前端ハウジング３１を備えている。前端ハウジング３１には電動モータ３２が収容されており、電動モータ３２の出力軸３２ａには前端ハウジング３１に回転可能に支持された回転軸３３に一体的に固定された減速ギヤ３４が係合している。回転軸３３の先端部は前端ハウジング３１の下側に突出しており、回転軸３３の先端部には回転刃３５が着脱可能に取り付けられている。
【００２３】
図１に示したように、コントローラユニット４０は、主として、後端ハウジング４１と、制御回路（図示省略）とから構成される。後端ハウジング４１は操作棹１１の後側棹１３の後端部に固定されている。後端ハウジング４１の後部にはバッテリパック４２が着脱可能に取り付けられている。バッテリパック４２は操作棹１１の内部に配設された電気配線２２，２４及び電気コネクタ２０（２１，２３）により電動モータ３２に電気的に接続されている。
【００２４】
図１に示したように、操作棹１１の前端部にはカバー４３が設けられている。カバー４３はカッタユニット３０の回転刃３５の後側を覆うものである。操作棹１１の前後方向の中間部にはハンドル４４が固定されている。ハンドル４４は前後方向と交差する左右方向に延び、中間部から上側に湾曲している。ハンドル４４の左右の両端部には作業者が把持するグリップ４５，４５が設けられている。
【００２５】
上記のように構成した刈払機１０は、バッテリパック４２からの給電により電動モータ３２を作動させると、出力軸３２ａに係合した減速ギヤ３４を介して回転軸３３が回転し、回転軸３３に固定した回転刃３５が回転する。作業者は左右の手でハンドル４４の両グリップ４５，４５を把持し、前端のカッタユニット３０の回転刃３５を地面から生える草や芝に当てることで、草や芝が刈り取られる。
【００２６】
この刈払機１０は、電圧を変えた複数種のバッテリパック４２と、複数種のバッテリパック４２の電圧に適合した定格電圧を有した複数種の電動モータ３２とを用いた複数の機種が存在している。この実施形態の刈払機１０は、１８Ｖ、１４．４Ｖ及び１０．８Ｖの３種のバッテリパック４２と、各バッテリパック４２の電圧に対応した定格電圧を有した３種の電動モータ３２とを用いた３つの機種が存在しており、３つの機種は互いに回転刃３５の回転数が異なっている。上記の定格電圧は電動モータ３２を設計上安定して使用できる電圧を示すものである。なお、刈払機１０は回転刃３５の回転数の異なる複数の機種が存在しているが、作動時間または回転刃３５の回転トルクの異なる複数の機種を存在させてもよい。
【００２７】
この刈払機１０は、バッテリパック４２の電圧が電動モータ３２の定格電圧より高い組み合わせで、互いに異なる機種の後側棹１３の継手１４に前側棹１２の後端部が嵌挿されるのを阻止する阻止手段を備えている。
【００２８】
この実施形態の阻止手段は、前側棹１２の突部１２ａと後側棹１３の前端部の継手１４に形成した凹溝１４ａを用いたものである。図５（ａ）〜（ｃ）に示したように、バッテリパック４２の電圧が高い機種であるほど後側棹１３の継手１４の凹溝１４ａの高さｈａ（ｈａ１〜ｈａ３）を低くするとともに、前側棹１２の突部１２ａの高さ（突出長）ｈ（ｈ１〜ｈ３）を凹溝１４ａに係合可能な長さとなるように低くした。
【００２９】
図６（ａ）の１８Ｖの機種で示したように、後側棹１３の後端部に設けたバッテリパック４２の電圧が、前側棹１２の前端部に設けた電動モータ３２の定格電圧に適合しているときには、前側棹１２の突部１２ａは後側棹１３の継手１４の凹溝１４ａの長手方向の奥部にて摺動自在に係合している。このとき、電気コネクタ２０の差込プラグ２１はプラグ受け２３に接続され、電動モータ３２はバッテリパック４２に電気的に接続される。これに対し、図６（ｂ）の１８Ｖの機種の後側棹１３の継手１４内に１０．８Ｖの前側棹１２の後端部を嵌挿しようとしても、突部１２ａの高さｈ３が凹溝１４ａの高さｈａ１より高いので、突部１２ａが凹溝１４ａの入口部周縁に係止し、前側棹１２の後端部が後側棹１３の継手１４内に嵌挿されない。
【００３０】
このように、バッテリパック４２の電圧が高い機種の後側棹１３の継手１４内に、電動モータ３２の定格電圧がバッテリパック４２より低い機種の前側棹１２が誤って挿入されるのを防ぐことができた。これにより、電動モータ３２はその定格電圧を超えたバッテリパック４２から給電されることに起因した故障、すなわち電動モータ３２の過回転に起因した故障を防ぐことができた。なお、１８Ｖの機種の後側棹１３の継手１４内に１４．４Ｖの前側棹１２を嵌挿するとき、１４．４Ｖの機種の後側棹１３の継手１４内に１０．８Ｖの前側棹１２を嵌挿するときにも、上述したのと同様に前側棹１２の突部１２ａが凹溝１４ａの入口部周縁に係止し、前側棹１２の後端部が後側棹１３の継手１４内に嵌挿されなく、同様の作用効果を得ることができる。
【００３１】
この実施形態では、バッテリパック４２の電圧が高い機種であるほど後側棹１３の継手１４の凹溝１４ａの高さを低くするとともに、前側棹１２の突部１２ａの高さを凹溝１４ａに係合可能な長さとなるように低くした。しかし、本発明はこれに限られるものでなく、バッテリパック４２の電圧が高い機種であるほど後側棹１３の継手１４の凹溝１４ａの周方向の幅を短くするとともに、前側棹１２の突部１２ａの幅を凹溝１４ａに係合可能な長さとなるように短くしてもよい。このようにしたときにも、１８Ｖの機種の後側棹１３の継手１４内に１０．８Ｖの前側棹１２を嵌挿しようとしても、前側棹１２の突部１２ａが凹溝１４ａの入口部周縁に係止し、前側棹１２の後端部が後側棹１３の継手１４内に嵌挿されない。これにより、バッテリパック４２の電圧が高い機種の後側棹１３の継手１４内に電動モータ３２の定格電圧がバッテリパックより低い機種の前側棹１２が誤って嵌挿されるのを防ぐことができ、電動モータ３２はその定格電圧を超えたバッテリパック４２から給電されることに起因した故障を防ぐことができた。なお、１８Ｖの機種の後側棹１３の継手１４内に１４．４Ｖの前側棹１２を嵌挿するとき、１４．４Ｖの機種の後側棹１３の継手１４内に１０．８Ｖの前側棹１２を嵌挿するときにも、上述したのと同様に前側棹１２の突部１２ａが凹溝１４ａの入口部周縁に係止し、前側棹１２の後端部が後側棹１３の継手１４内に嵌挿されなく、同様の作用効果を得ることができる。
【００３２】
（第２実施形態）
上述した第１実施形態の操作棹１１は、後側棹１３の前端部の一部を構成する継手１４に前側棹１２の後端部を嵌挿させることにより着脱可能に連結したものである。第２実施形態では、前側棹１２Ａは棹本体１２Ａｃの後端部に継手１４Ａを固定したものであり、操作棹１１Ａは前側棹１２Ａの後端部の一部を構成する継手１４Ａに後側棹１３Ａの前端部を嵌挿させることにより着脱可能に連結したものである。この第２実施形態では、後側棹１３Ａの前端部の下部に継手１４Ａに向けて突出する突部１２Ａａが設けられ、前側棹１２Ａの後端部の一部を構成する継手１４Ａの後半部には下部に操作棹１１Ａの長手方向に沿って延びる凹溝１４Ａａが形成され、この凹溝１４Ａａには後側棹１３Ａの前端部に設けた突部１２Ａａが摺動自在に係合している。この点以外は上述した第１実施形態の阻止手段以外と同様の構成となっている。
【００３３】
この第２実施形態では、図７（ａ）〜（ｃ）に示したように、バッテリパック４２の電圧が低い機種であるほど、前側棹１２Ａの継手１４Ａの凹溝１４Ａａの高さｈａ（ｈａ１〜ｈａ３）を低くするとともに、後側棹１３Ａの突部１２Ａａの高さｈ（ｈ１〜ｈ３）を凹溝１４Ａａに係合可能な長さとなるように低くした。
【００３４】
図８（ａ）の１０．８Ｖの機種で示したように、後側棹１３Ａの後端部に設けたバッテリパック４２の電圧が、前側棹１２Ａの前端部に設けた電動モータ３２の定格電圧に適合しているときには、後側棹１３Ａの突部１２Ａａは前側棹１２Ａの継手１４Ａの凹溝１４Ａａの長手方向の奥部にて摺動自在に係合している。このとき、電気コネクタ２０の差込プラグ２１はプラグ受け２３に接続され、電動モータ３２はバッテリパック４２に電気的に接続される。これに対し、図８（ｂ）の１８Ｖの機種の後側棹１３Ａの前端部を１０．８Ｖの前側棹１２Ａの継手１４Ａ内に嵌挿しようとしても、突部１２Ａａの高さｈ１が凹溝１４Ａａの高さｈａ３より高いので、後側棹１３Ａの突部１２Ａａが凹溝１４Ａａの入口部周縁に係止し、後側棹１３Ａが前側棹１２Ａの継手１４Ａ内に挿入できない。
【００３５】
このように、バッテリパック４２の電圧が高い機種の後側棹１３Ａの前端部が、電動モータ３２の定格電圧がバッテリパック４２より低い機種の前側棹１２Ａの継手１４Ａ内に誤って嵌挿されるのを防ぐことができた。これにより、電動モータ３２はその定格電圧を超えたバッテリパック４２から給電されることに起因した故障、すなわち電動モータ３２の過回転に起因した故障を防ぐことができた。なお、１８Ｖの機種の後側棹１３Ａを１４．４Ｖの前側棹１２Ａの継手１４Ａ内に嵌挿するとき、１４．４Ｖの機種の後側棹１３Ａを１０．８Ｖの前側棹１２Ａの継手１４Ａ内に嵌挿するときも、上述したのと同様に後側棹１３Ａの突部１２Ａａが凹溝１４Ａａの入口部周縁に係止し、後側棹１３Ａが前側棹１２Ａの継手１４Ａ内の挿入されなく、同様の作用効果を得ることができる。
【００３６】
この実施形態では、バッテリパック４２の電圧が低い機種であるほど、前側棹１２Ａの継手１４Ａの凹溝１４Ａａの高さを低くするとともに、後側棹１３Ａの突部１２Ａａの高さを凹溝１４Ａａに係合可能な長さとなるように低くした。しかし、本発明はこれに限られるものでなく、バッテリパック４２の電圧が低い機種であるほど、前側棹１２Ａの継手１４Ａの凹溝１４Ａａの幅を短くするとともに、後側棹１３Ａの突部１２Ａａの幅を凹溝１４Ａａに係合可能な長さとなるように短くしてもよい。このようにしたときにも、１８Ｖの機種の後側棹１３Ａを１０．８Ｖの前側棹１２の継手１４Ａ内に嵌挿しようとしても、後側棹１３Ａの突部１２Ａａが凹溝１４Ａａの入口部周縁に係止し、後側棹１３Ａの前端部が前側棹１２Ａの継手１４Ａ内に嵌挿されない。これにより、バッテリパック４２の電圧が高い機種の後側棹１３Ａの継手１４Ａ内に電動モータ３２の定格電圧がバッテリパックより低い機種の前側棹１２の後端部が誤って嵌挿されるのを防ぐことができ、電動モータ３２はその定格電圧を超えたバッテリパック４２から給電されることに起因した故障を防ぐことができた。なお、１８Ｖの機種の後側棹１３Ａを１４．４Ｖの前側棹１２Ａの継手１４Ａ内に嵌挿するとき、１４．４Ｖの機種の後側棹１３Ａを１０．８Ｖの前側棹１２Ａの継手１４Ａ内に嵌挿するときにも、上述したのと同様に後側棹１３Ａの突部１２Ａａが凹溝１４Ａａの入口部周縁に係止し、後側棹１３Ａの前端部が前側棹１２Ａの継手１４Ａ内に嵌挿されなく、同様の作用効果を得ることができる。
【００３７】
（第３実施形態）
第３実施形態の阻止手段も、前側棹１２Ｂの突部１２Ｂａと後側棹１３Ｂの前端部の継手１４Ｂに形成した凹溝１４Ｂａを用いたものである。図９（ａ）〜（ｃ）に示したように、操作棹１１Ｂにおいては、バッテリパック４２の電圧が高い機種であるほど、後側棹１３Ｂの継手１４Ｂの凹溝１４Ｂａの長手方向の長さを短くするとともに、電気コネクタ２０の差込プラグ２１がプラグ受け２３に電気的に接続される位置にて、前側棹１２Ｂの突部１２Ｂａが凹溝１４Ｂａの奥部にて係合可能となるように他の機種より前側位置となるように設けた。すなわち、継手１４Ｂの凹溝１４Ｂａの長さが短い方が、凹溝１４Ｂａの奥壁とプラグ受け２３の前端面との間の長さｌａ（ｌａ１〜ｌａ３）が長く、これに対応するように、前側棹１２Ｂの突部１２Ｂａと差込プラグ２１の取付部２１ａの後端面との間の長さｌ（ｌ１〜ｌ３）を長くした。このため、バッテリパック４２の電圧が高い機種であるほど、突部１２Ｂａは他の機種より前側位置に設けられる。この点以外は上述した第１実施形態の阻止手段以外と同様の構成となっている。
【００３８】
図１０（ａ）の１０．８Ｖの機種で示したように、後側棹１３Ｂの後端部に設けたバッテリパック４２の電圧が、前側棹１２Ｂの前端部に設けた電動モータ３２の定格電圧に適合しているときには、前側棹１２Ｂの突部１２Ｂａは後側棹１３Ｂの継手１４Ｂの凹溝１４Ｂａの長手方向の奥部にて摺動自在に係合している。このとき、電気コネクタ２０の差込プラグ２１はプラグ受け２３に接続され、電動モータ３２はバッテリパック４２に電気的に接続される。
【００３９】
これに対し、図１０（ｂ）の１８Ｖの機種の後側棹１３Ｂの継手１４Ｂ内に１０．８Ｖの前側棹１２Ｂを挿入しても、凹溝１４Ｂａの奥壁とプラグ受け２３の前端面との間の長さｌａ１が突部１２Ｂａと差込プラグ２１の取付部２１ａの後端面との間の長さｌ３より長いため、差込プラグ２１がプラグ受け２３に接続される前に、前側棹１２Ｂの突部１２Ｂａが凹溝１４Ｂａの長手方向の奥壁に係止する。これにより、バッテリパック４２の電圧が高い機種の後側棹１３Ｂの継手１４Ｂ内に電動モータ３２の定格電圧がバッテリパック４２より低い機種の前側棹１２Ｂが誤って挿入されても、差込プラグ２１がプラグ受け２３に接続される位置まで、後側棹１３Ｂの継手１４Ｂ内に前側棹１２Ｂの後端部が嵌挿されない。これにより、電動モータ３２はその定格電圧を超えたバッテリパック４２から給電されることに起因した故障を防ぐことができた。なお、１８Ｖの機種の後側棹１３Ｂの継手１４Ｂ内に１４．４Ｖの前側棹１２Ｂを嵌挿するとき、１４．４Ｖの機種の後側棹１３Ｂの継手１４Ｂ内に１０．８Ｖの前側棹１２Ｂを嵌挿するときも、上述したのと同様に差込プラグ２１がプラグ受け２３に接続される位置まで、後側棹１３Ｂの継手１４Ｂ内に前側棹１２Ｂが嵌挿されず、上述したのと同様の作用効果を得ることができる。
【００４０】
（第４実施形態）
上述した第３実施形態の操作棹１１Ｂは、後側棹１３Ｂの前端部の一部を構成する継手１４Ｂに前側棹１２Ｂの後端部を嵌挿させることにより着脱可能に連結したものである。第４実施形態では、前側棹１２Ｃは棹本体１２Ｃｃの後端部に継手１４Ｃを固定したものであり、操作棹１１Ｃは前側棹１２Ｃの後端部の一部を構成する継手１４Ｃに後側棹１３の前端部を嵌挿させることにより着脱可能に連結したものである。この第４実施形態では、後側棹１３Ｃの前端部の下部に継手１４Ｃに向けて突出する突部１２Ｃａが設けられ、前側棹１２Ｃの後端部の一部を構成する継手１４Ｃの後半部には下部に操作棹１１Ｃの長手方向に沿って延びる凹溝１４Ｃａが形成され、この凹溝１４Ｃａには後側棹１３Ｃの前端部に設けた突部１２Ｃａが摺動自在に係合している。
【００４１】
この第４実施形態では、図１１（ａ）〜（ｃ）に示したように、バッテリパック４２の電圧が低い機種であるほど、前側棹１２Ｃの継手１４Ｃの凹溝１４Ｃａの長手方向の長さを短くするとともに、電気コネクタ２０の差込プラグ２１がプラグ受け２３に電気的に接続される位置にて、後側棹１３Ｃの突部１２Ｃａが凹溝１４Ｃａの奥部にて係合可能となるように他の機種より後側位置となるように設けた。すなわち、継手１４Ｃの凹溝１４Ｃａの長さが短い方が、凹溝１４Ｃａの奥壁と差込プラグ２１の取付部２１ａの後端面との間の長さｌａ（ｌａ１〜ｌａ３）が長く、これに対応するように、後側棹１３Ｃの突部１２Ｃａとプラグ受け２３の取付部２３ａの前端面との間の長さｌ（ｌ１〜ｌ３）を長くした。このため、バッテリパック４２の電圧が低い機種であるほど、突部１２Ｂａは他の機種より後側位置に設けられる。この点以外は上述した第３実施形態と同様の構成となっている。
【００４２】
図１２（ａ）の１８Ｖの機種で示したように、後側棹１３Ｃの後端部に設けたバッテリパック４２の電圧が、前側棹１２Ｃの前端部に設けた電動モータ３２の定格電圧に適合しているときには、後側棹１３Ｃの突部１２Ｃａは前側棹１２Ｃの継手１４Ｃの凹溝１４Ｃａの長手方向の奥部にて摺動自在に係合している。このとき、電気コネクタ２０の差込プラグ２１はプラグ受け２３に接続され、電動モータ３２はバッテリパック４２に電気的に接続される。
【００４３】
これに対し、図１２（ｂ）の１８Ｖの機種の後側棹１３Ｃの前端部を１０．８Ｖの前側棹１２Ｃの継手１４Ｃ内に挿入しても、凹溝１４Ｃａの奥壁と差込プラグ２１の取付部２１ａの後端面との間の長さｌａ３が突部１２Ｃａとプラグ受け２３の後端面との間の長さｌ１より長いため、差込プラグ２１がプラグ受け２３に接続される前に、前側棹１２Ｃの突部１２Ｃａが凹溝１４Ｃａの長手方向の奥壁に係止する。これにより、バッテリパック４２の電圧が高い機種の後側棹１３Ｃの前端部が電動モータ３２の定格電圧がバッテリパック４２より低い機種の前側棹１２Ｃの継手１４Ｃ内に誤って挿入されても、差込プラグ２１がプラグ受け２３に接続される位置まで、後側棹１３Ｃの前端部が前側棹１２Ｃの継手１４Ｃ内に嵌挿されない。これにより、電動モータ３２はその定格電圧を超えたバッテリパック４２から給電されることに起因した故障を防ぐことができた。なお、１８Ｖの機種の後側棹１３Ｃを１４．４Ｖの前側棹１２Ｃの継手１４Ｃ内に嵌挿するとき、１４．４Ｖの機種の後側棹１３Ｃを１０．８Ｖの前側棹１２Ｃの継手１４Ｃ内に嵌挿するときも、上述したのと同様に差込プラグ２１がプラグ受け２３に接続される位置まで、後側棹１３Ｃの前端部が前側棹１２Ｂの継手１４Ｂ内に嵌挿されず、上述したのと同様の作用効果を得ることができる。
【００４４】
（第５実施形態）
第５実施形態の阻止手段も、前側棹１２Ｄの突部１２Ｄａと後側棹１３Ｄの前端部の継手１４Ｄに形成した凹溝１４Ｄａを用いたものである。図１３（ａ）〜（ｃ）に示したように、操作棹１１Ｄにおいては、バッテリパック４２の電圧が低い機種であるほど、前側棹１２Ｄの突部１２Ｄａの数を増やすとともに、後側棹１３Ｄの継手１４Ｄの凹溝１４Ｄａの数を突部１２Ｄａの数に応じて増やした。この点以外は上述した第１実施形態の阻止手段以外と同様の構成となっている。
【００４５】
図１３（ａ）〜（ｃ）に示したように、後側棹１３Ｄの後端部に設けたバッテリパック４２の電圧が、前側棹１２Ｄの前端部に設けた電動モータ３２の定格電圧に適合しているときには、前側棹１２Ｄの各突部１２Ｄａは後側棹１３Ｄの継手１４Ｄの各凹溝１４Ｄａに係合している。これに対し、例えば１８Ｖの機種の後側棹１３Ｄの継手１４Ｄ内に１０．８Ｖの前側棹１２Ｄを嵌挿しようとしても、左右の突部１２Ｄａが継手１４Ｄの後部の入口部周縁に係止し、前側棹１２Ｄが後側棹１３Ｄの継手１４Ｄ内に嵌挿されない。
【００４６】
このように、バッテリパック４２の電圧が高い機種の後側棹１３Ｄの継手１４Ｄ内に電動モータ３２の定格電圧がバッテリパック４２より低い機種の前側棹１２Ｄが誤って挿入されるのを防ぐことができた。これにより、電動モータ３２はその定格電圧を超えたバッテリパック４２から給電されることに起因した故障、すなわち電動モータ３２の過回転に起因した故障を防ぐことができた。なお、１８Ｖの機種の後側棹１３Ｄの継手１４Ｄ内に１４．４Ｖの前側棹１２Ｄを嵌挿するとき、１４．４Ｖの機種の後側棹１３Ｄの継手１４Ｄ内に１０．８Ｖの前側棹１２Ｄを嵌挿するときにも、上述したのと同様に前側棹１２Ｄの一部の突部１２Ｄａが継手１４Ｄの後部の入口部周縁に係止し、前側棹１２Ｄが後側棹１３Ｄの継手１４Ｄ内に嵌挿されなく、同様の作用効果を得ることができる。
【００４７】
（第６実施形態）
上述した第５実施形態の操作棹１１Ｄは、後側棹１３Ｄの前端部の一部を構成する継手１４Ｄに前側棹１２Ｄの後端部を嵌挿させることにより着脱可能に連結したものである。第６実施形態では、前側棹１２Ｅは棹本体１２Ｅｃの後端部に継手１４Ｅを固定したものであり、操作棹１１Ｅは前側棹１２Ｅの後端部の一部を構成する継手１４Ｅに後側棹１３Ｅの前端部を嵌挿させることにより着脱可能に連結したものである。図１４（ａ）〜（ｃ）に示したように、バッテリパック４２の電圧が高い機種であるほど、後側棹１３Ｅの突部１２Ｅａの数を増やすとともに、前側棹１２Ｅの継手１４Ｅの凹溝１４Ｅａの数を突部１２Ｅａの数に応じて増やした。この点以外は上述した第５実施形態の阻止手段以外と同様の構成となっている。
【００４８】
図１４（ａ）〜（ｃ）に示したように、後側棹１３Ｅの後端部に設けたバッテリパック４２の電圧が、前側棹１２Ｅの前端部に設けた電動モータ３２の定格電圧に適合しているときには、後側棹１３Ｅの各突部１２Ｅａは前側棹１２Ｅの継手１４Ｅの各凹溝１４Ｅａに係合している。これに対し、例えば１８Ｖの機種の後側棹１３Ｅの前端部を１０．８Ｖの前側棹１２Ｅの継手１４Ｅに嵌挿しようとしても、左右の突部１２Ｅａが継手１４Ｅの前部の入口部周縁に係止し、後側棹１３Ｅの前端部が前側棹１２Ｅの継手１４Ｅ内に嵌挿できない。
【００４９】
このように、バッテリパック４２の電圧が高い機種の後側棹１３Ｅの前端部を、電動モータ３２の定格電圧がバッテリパック４２より低い機種の前側棹１２Ｅの継手１４Ｅ内に誤って挿入されるのを防ぐことができた。これにより、電動モータ３２はその定格電圧を超えたバッテリパック４２から給電されることに起因した故障、すなわち電動モータ３２の過回転に起因した故障を防ぐことができた。なお、１８Ｖの機種の後側棹１３Ｅを１４．４Ｖの前側棹１２Ｅの継手１４Ｅ内に嵌挿するとき、１４．４Ｖの機種の後側棹１３Ｅを１０．８Ｖの前側棹１２Ｅの継手１４Ｅ内に嵌挿するときにも、上述したのと同様に後側棹１３Ｅの一部の突部１２Ｅａが継手１４Ｅの後部の入口部周縁に係止し、後側棹１３Ｅの前端部が前側棹１２Ｅの継手１４Ｅ内に嵌挿できなく、同様の作用効果を得ることができる。
【００５０】
（第７実施形態）
第７実施形態の阻止手段は、電気コネクタ２０を構成する差込プラグ２１とプラグ受け２３とを用いたものである。バッテリパック４２の電圧が低い機種であるほど、差込プラグ２１のピン２１ｂの数を多くし、プラグ受け２３のピン挿入孔２３ｂの数をピン２１ｂの数に応じて増やした。この点以外は上述した第１実施形態の阻止手段以外と同様の構成となっている。
【００５１】
後側棹１３の後端部に設けたバッテリパック４２の電圧が、前側棹１２の前端部に設けた電動モータ３２の定格電圧に適合しているときには、前側棹１２の差込プラグ２１の各ピン２１ｂが後側棹１３のプラグ受け２３の各ピン挿入孔２３ｂに挿入される。これに対し、例えば１８Ｖの機種の後側棹１３の継手１４内に１０．８Ｖの前側棹１２の後端部を嵌挿しようとしても、前側棹１２の差込プラグ２１のピン２１ｂが後側棹１３のプラグ受け２３のピン挿入孔２３ｂより多いので、差込プラグ２１のピン２１ｂをプラグ受け２３のピン挿入孔２３ｂに挿入できない。
【００５２】
このように、バッテリパック４２の電圧が高い機種の後側棹１３の継手１４内に、電動モータ３２の定格電圧がバッテリパック４２より低い機種の前側棹１２が誤って挿入されても、差込プラグ２１がプラグ受け２３に接続される位置まで、後側棹１３の継手１４内に前側棹１２の後端部が嵌挿されない。これにより、電動モータ３２はその定格電圧を超えたバッテリパック４２から給電されることに起因した故障を防ぐことができた。なお、１８Ｖの機種の後側棹１３の継手１４内に１４．４Ｖの前側棹１２を嵌挿するとき、１４．４Ｖの機種の後側棹１３の継手１４内に１０．８Ｖの前側棹１２を嵌挿するときも、上述したのと同様に差込プラグ２１がプラグ受け２３に接続される位置まで、後側棹１３の継手１４内に前側棹１２の後端部が嵌挿されず、上述したのと同様の作用効果を得ることができる。
【００５３】
なお、この第７実施形態においては、操作棹１１は後側棹１３の前端部の一部を構成する継手１４に前側棹１２の後端部を嵌挿させることにより着脱可能に連結したものであるが、これに限られるものでなく、操作棹１１は前側棹１２の後端部の一部を構成する継手１４に後側棹１３の前端部を嵌挿させることにより着脱可能に連結したものであっても同様の作用効果を得ることができる。
【００５４】
また、この第７実施形態においては、バッテリパック４２の電圧が低い機種であるほど、差込プラグ２１のピン２１ｂの数を多くし、プラグ受け２３のピン挿入孔２３ｂの数をピン２１ｂの数に応じて増やした。本発明はこれに限られるものでなく、電圧の異なる機種毎に、差込プラグ２１のピン２１ｂの形状、円柱形状をした取付部２１ａのピン２１ｂの取り付け位置を変えるとともに、プラグ受け２３のピン挿入孔２３ｂの形状、取付部２３ａに対するピン挿入孔２３ｂの設けた位置をピン２１ｂに応じて変えたものであってもよい。このときには、例えばバッテリパック４２の電圧が低い機種であるほど、差込プラグ２１のピン２１ｂの形状を大きくするとともに、プラグ受け２３のピン挿入孔２３ｂの形状をピン２１ｂの形状に応じて大きくすればよい。このようにしたときにも上述したのと同様の作用効果を得ることができる。
【００５５】
なお、この実施形態の阻止手段に用いる差込プラグ２１のピン２１ｂは全てが電気コネクタ２０の電気接続に関与するものでなくてもよく、電気コネクタ２０の電気接続に関与しない擬似的なものであってもよい。
【００５６】
（第８実施形態）
第８実施形態の阻止手段は、前側棹１２Ｆの後端部と後側棹１３Ｆの前端部を構成する継手１４Ｆを用いたものである。図１５（ａ）〜（ｃ）に示したように、操作棹１１Ｆにおいては、バッテリパック４２の電圧が低い機種であるほど、前側棹１２の後端部の外径を大きくし、後側棹１３Ｆの前端部を構成する継手１４Ｆの内径ｄａ（ｄａ１〜ｄａ３）を前側棹１２Ｆの外径ｄ（ｄ１〜ｄ３）に応じて大きくした。この点以外は上述した第１実施形態の阻止手段以外と同様の構成となっている。
【００５７】
図１６（ａ）に示したように、後側棹１３Ｆの後端部に設けたバッテリパック４２の電圧が、前側棹１２Ｆの前端部に設けた電動モータ３２の定格電圧に適合しているときには、前側棹１２Ｆの後端部は後側棹１３Ｆの継手１４Ｆ内に嵌挿される。これに対し、図１６（ｂ）に示したように、１８Ｖの機種の後側棹１３Ｆの継手１４Ｆ内に１０．８Ｖの前側棹１２Ｆを嵌挿しようとしても、継手１４Ｆの内径ｄａ１が前側棹１２Ｆの外径ｄ３より小さいので、前側棹１２Ｆの後端が後側棹１３Ｆの継手１４Ｆの入口部周縁に係止し、前側棹１２Ｆが後側棹１３Ｆの継手１４Ｆ内に嵌挿されない。
【００５８】
このように、バッテリパック４２の電圧が高い機種の後側棹１３Ｆの継手１４Ｆ内に電動モータ３２の定格電圧がバッテリパック４２より低い機種の前側棹１２Ｆが誤って挿入されるのを防ぐことができた。これにより、電動モータ３２はその定格電圧を超えたバッテリパック４２から給電されることに起因した故障、すなわち電動モータ３２の過回転に起因した故障を防ぐことができた。なお、１８Ｖの機種の後側棹１３Ｆの継手１４Ｆ内に１４．４Ｖの前側棹１２Ｆを嵌挿するとき、１４．４Ｖの機種の後側棹１３Ｆの継手１４Ｆ内に１０．８Ｖの前側棹１２Ｆを嵌挿するときにも、上述したのと同様に前側棹１２Ｆの後端が後側棹１３Ｆの継手１４Ｆの入口部周縁に係止し、前側棹１２Ｆが後側棹１３Ｆの継手１４Ｆ内に嵌挿されなく、同様の作用効果を得ることができる。
【００５９】
なお、この第８実施形態においては、操作棹１１Ｆは後側棹１３Ｆの前端部の一部を構成する継手１４Ｆに前側棹１２Ｆの後端部を嵌挿させることにより着脱可能に連結したものである。本発明はこれに限られるものでなく、操作棹１１Ｆは前側棹１２Ｆの後端部の一部を構成する継手１４Ｆに後側棹１３Ｆの前端部を嵌挿させることにより着脱可能に連結したものであってもよい。この場合には、バッテリパック４２の電圧が低い機種であるほど、前側棹１２Ｆの後端部の一部を構成する継手１４の内径を小さくし、後側棹１３Ｆの前端部の外径を継手１４Ｆの内径に応じて小さくすればよい。このようにしたときにも上述したのと同様の作用効果を得ることができる。
【００６０】
なお、この第８実施形態においては、バッテリパック４２の電圧に応じて、前側棹１２の後端部の外径を変え、後側棹１３Ｆの前端部を構成する継手１４Ｆの内径を前側棹１２Ｆの外径に応じて変えた。本発明はこれに限られるものでなく、前側棹１２の後端部のみの外径を変えたものであってもよく、前側棹１２の全長にわたって外径を変えたものであってもよい。同様に、後側棹１３Ｆの前端部を構成する継手１４Ｆだけの内径を変えてもよく、後側棹１３Ｆの全長にわたって内径を変えたものであってもよい。
【００６１】
また、この第８実施形態においては、バッテリパック４２の電圧が低い機種であるほど、前側棹１２Ｆの後端部の外径を大きくし、後側棹１３Ｆの前端部を構成する継手１４Ｆの内径を前側棹１２Ｆの外径に応じて大きくした。本発明はこれに限られるものでなく、電圧の異なる機種毎に、前側棹１２Ｆの後端部の外周面の形状と、後側棹１３Ｆの前端部を構成する継手１４Ｆの内周面の形状を前側棹１２Ｆの後端部の外周面の形状に応じて変えたものであってもよい。同様に、後側棹１３Ｆの前端部の外周面の形状と、前側棹１２Ｆの後端部の一部を構成する継手１４Ｆの内周面の形状を後側棹１３Ｆの前端部の外周面の形状に応じて変えたものであってもよい。このようにしたときにも上述したのと同様の作用効果を得ることができる。
【００６２】
上記の各実施形態は、後側棹の棹本体の前端部に継手を固定することで、継手が後側棹の前端部の一部を構成するようにし、または、前側棹の棹本体の後端部に継手を固定することで、継手が前側棹の後端部の一部を構成するようにした。本発明はこれに限られるものでなく、後側棹の前端部を他の部分より拡径させることにより、前側棹の後端部が嵌挿される継手部としたものであってもよい。同様に、前側棹の後端部を他の部分より拡径させることにより、後側棹の前端部が嵌挿される継手部としたものであってもよい。
【００６３】
上記の各実施形態は、バッテリパック４２の電圧が１８Ｖ、１４．４Ｖ及び１０．８Ｖの３種の刈払機１０〜１０Ｆよりなるが、本発明はこれに限られるものでなく、バッテリパックの電圧が２種または４種以上とした機種が存在していても同様の作用効果を得ることができる。
【００６４】
上記の実施形態は、電動モータ３２の作動により回転する回転軸３３の先端部に回転刃３５を固定したが、これに限られるものでなく、電動モータ３２の出力軸３２ａを回転軸として用いて、出力軸３２ａの先端部に回転刃３５を固定したものであってもよい。
【符号の説明】
【００６５】
１０…刈払機、１１〜１１Ｆ…操作棹、１２〜１２Ｆ…前側棹、１２ａ〜１２Ｆａ…突部、１３〜１３Ｆ…後側棹、１４〜１４Ｆ…継手、１４ａ〜１４Ｆａ…凹溝、２０…電気コネクタ、２１…プラグ、２１ｂ…ピン、２３…プラグ受け、２３ｂ…ピン挿入孔、３１…前端ハウジング、３２…電動モータ、３３…回転軸、３５…回転刃、４２…電源（バッテリパック）。
【図１】
2014168393.tif 000003
【図２】
2014168393.tif 000004
【図３】
2014168393.tif 000005
【図４】
2014168393.tif 000006
【図５】
2014168393.tif 000007
【図６】
2014168393.tif 000008
【図７】
2014168393.tif 000009
【図８】
2014168393.tif 000010
【図９】
2014168393.tif 000011
【図１０】
2014168393.tif 000012
【図１１】
2014168393.tif 000013
【図１２】
2014168393.tif 000014
【図１３】
2014168393.tif 000015
【図１４】
2014168393.tif 000016
【図１５】
2014168393.tif 000017
【図１６】
2014168393.tif 000018